(57)【特許請求の範囲】
【請求項１】
第１の組の対向する２つのＶ字の切れ込みが、複数組互いに離間して第１の方向に沿って直線状に配列され、前記第１の組の対向する２つのＶ字の切れ込みを画成する２辺の２つの角部が前記第１の方向に対して垂直な第２の方向に沿って整列し、
第１の組の対向する２つのＶ字の切れ込みよりも小さい、第２の組の対向する２つのＶ字の切れ込みが、隣接する第１の組の対向する２つのＶ字の切れ込みの間に交互に配置されるように、複数組互いに離間して前記第１の方向に沿って直線状に配列され、前記第２の組の対向する２つのＶ字の切れ込みを画成する２辺の２つの角部が、前記第２の方向に沿って整列している、日除け用シート。
【請求項２】
前記第１の組の対向する２つのＶ字の切れ込みに挟まれた部分が谷部を形成し、前記第１の組の対向する２つのＶ字の切れ込みの外側の部分が山部を形成し、前記第２の組の対向する２つのＶ字の切れ込みに挟まれた部分が山部を形成し、前記第２の組の対向する２つのＶ字の切れ込みの外側の部分が谷部を形成するか、又は
前記第１の組の対向する２つのＶ字の切れ込みに挟まれた部分が山部を形成し、前記第１の組の対向する２つのＶ字の切れ込みの外側の部分が谷部を形成し、前記第２の組の対向する２つのＶ字の切れ込みに挟まれた部分が谷部を形成し、前記第２の組の対向する２つのＶ字の切れ込みの外側の部分が山部を形成する、請求項１に記載の日除け用シート。
【請求項３】
第２の組の対向する２つのＶ字の切れ込みの両端が、隣接する第１の組の対向する２つのＶ字の切れ込みに挟まれた部分に達して延びている請求項１又は２に記載の日除け用シート。
【請求項４】
一枚の略矩形のシートを、シートの第１の方向に沿って山折、谷折の順に交互に端から端まで折る工程と、
折られたシートの第１の方向と垂直な第２の方向に延びる一側における互いに離れた２つの位置から、それぞれ互いに離れるように傾斜した２つの直線状の切れ込みを形成する工程と、
前記折られたシートの、前記第２の方向に延びる他側における互いに離れた２つの位置から、前記第２の方向に延びる一側における互いに離れた２つの位置から形成した２つの直線状の切れ込みと交差しないように、それぞれ互いに離れるように傾斜した２つの直線状の切れ込みを形成する工程と、
を含む日除け用シートの製造方法。
【請求項５】
前記折られたシートの前記第２の方向に延びる一側における互いに離れた２つの位置から２つの直線状の切れ込みを形成する工程及び前記折られたシートの前記第２の方向に延びる他側における互いに離れた２つの位置から２つの直線状の切れ込みを形成する工程の後で、折られたシートを広げる工程をさらに含み、
前記折られたシートの前記第２の方向に延びる一側における互いに離れた２つの位置から形成した２つの直線状の切れ込みが、広げたシートにおける第１の組の対向する２つのＶ字の切れ込みとなり、前記折られたシートの前記第２の方向に延びる他側における互いに離れた２つの位置から形成した２つの直線状の切れ込みが、広げたシートにおける第２の組の対向する２つのＶ字の切れ込みとなり、前記第２の組の対向する２つのＶ字の切れ込みは、前記第１の組の対向する２つのＶ字の切れ込みよりも小さい、請求項４に記載の日除け用シートの製造方法。
【請求項６】
前記第１の組の対向する２つのＶ字の切れ込みに挟まれた部分が谷部を形成し、前記第１の組の対向する２つのＶ字の切れ込みの外側の部分が山部を形成し、前記第２の組の対向する２つのＶ字の切れ込みに挟まれた部分が山部を形成し、前記第２の組の対向する２つのＶ字の切れ込みの外側の部分が谷部を形成するようにさらに折る工程、又は
前記第１の組の対向する２つのＶ字の切れ込みに挟まれた部分が山部を形成し、前記第１の組の対向する２つのＶ字の切れ込みの外側の部分が谷部を形成し、前記第２の組の対向する２つのＶ字の切れ込みに挟まれた部分が谷部を形成し、前記第２の組の対向する２つのＶ字の切れ込みの外側の部分が山部を形成するようにさらに折る工程をさらに含む、請求項５に記載の日除け用シートの製造方法。
【請求項７】
第１の組の対向する２つのＶ字の切れ込み及び／又は第２の組の対向する２つのＶ字の切れ込みに植物を通した状態で、土を覆って請求項１〜３のいずれかに記載の日除け用シートを配置することを含む、植物の栽培方法。
【発明の詳細な説明】
【技術分野】
【０００１】
本発明は、日除け用シート、日除け用シートの製造方法、及び日除け用シートの使用方法に関する。
【背景技術】
【０００２】
地球温暖化やオゾン層破壊による太陽光の強さが植物栽培にも悪影響を及ぼすようにより、植物においても日差し、暑さ対策が必要になってきており、農の現場では土の温度低下が望まれている。従来のマルチングは平面のプラスチック製のシートで通気性がなく土の温度の高温化が避けられない。寒冷紗も日除けとして使用されることがあるが、目が粗いと遮光率が低く、土の温度低下に寄与しない。
【０００３】
連通気泡が複雑に曲がり通じているスポンジ状発泡体を平板状に形成し、表面部から裏面部への通気及び通水を可能としながら遮光性を持たせた防草シート（特許文献１）や、通気性且つ透水性の細孔を備えた合成樹脂製の透明又は半透明のフィルム又はシートからなる農業用シート（特許文献２）も開示されているが、簡単な構成で、通気性を確保しつつ日差しを効果的に遮ることができる日除け用シートが求められている。
【先行技術文献】
【特許文献】
【０００４】
【特許文献１】特開2004-194639
【特許文献２】特開2009-153398
【発明の概要】
【発明が解決しようとする課題】
【０００５】
本発明が解決すべき課題は、簡単な構成で、通気性を確保しつつ、遮光性に優れた日除け用シート、かかる日除け用シートの製造方法並びに使用方法を提供することにある。
【課題を解決するための手段】
【０００６】
本発明は、以下に記載の実施形態を包含する。
［１］第１の組の対向する２つのＶ字の切れ込みが、複数組互いに離間して第１の方向に沿って直線状に配列され、前記第１の組の対向する２つのＶ字の切れ込みを画成する２辺の２つの角部が前記第１の方向に対して垂直な第２の方向に沿って整列し、
第１の組の対向する２つのＶ字の切れ込みよりも小さい、第２の組の対向する２つのＶ字の切れ込みが、隣接する第１の組の対向する２つのＶ字の切れ込みの間に交互に配置されるように、複数組互いに離間して前記第１の方向に沿って直線状に配列され、前記第２の組の対向する２つのＶ字の切れ込みを画成する２辺の２つの角部が、前記第２の方向に沿って整列している、日除け用シート。
[２]前記第１の組の対向する２つのＶ字の切れ込みに挟まれた部分が谷部を形成し、前記第１の組の対向する２つのＶ字の切れ込みの外側の部分が山部を形成し、前記第２の組の対向する２つのＶ字の切れ込みに挟まれた部分が山部を形成し、前記第２の組の対向する２つのＶ字の切れ込みの外側の部分が谷部を形成するか、又は
前記第１の組の対向する２つのＶ字の切れ込みに挟まれた部分が山部を形成し、前記第１の組の対向する２つのＶ字の切れ込みの外側の部分が谷部を形成し、前記第２の組の対向する２つのＶ字の切れ込みに挟まれた部分が谷部を形成し、前記第２の組の対向する２つのＶ字の切れ込みの外側の部分が山部を形成する、[１]に記載の日除け用シート。
[３]第２の組の対向する２つのＶ字の切れ込みの両端が、隣接する第１の組の対向する２つのＶ字の切れ込みに挟まれた部分に達して延びている[１]又は[２]に記載の日除け用シート。
[４]一枚の略矩形のシートを、シートの第１の方向に沿って山折、谷折の順に交互に端から端まで折る工程と、
折られたシートの第１の方向と垂直な第２の方向に延びる一側における互いに離れた２つの位置から、それぞれ互いに離れるように傾斜した２つの直線状の切れ込みを形成する工程と、
前記折られたシートの、前記第２の方向に延びる他側における互いに離れた２つの位置から、前記第２の方向に延びる一側における互いに離れた２つの位置から形成した２つの直線状の切れ込みと交差しないように、それぞれ互いに離れるように傾斜した２つの直線状の切れ込みを形成する工程と、
を含む日除け用シートの製造方法。
［５］前記折られたシートの前記第２の方向に延びる一側における互いに離れた２つの位置から２つの直線状の切れ込みを形成する工程及び前記折られたシートの前記第２の方向に延びる他側における互いに離れた２つの位置から２つの直線状の切れ込みを形成する工程の後で、折られたシートを広げる工程をさらに含み、
前記折られたシートの前記第２の方向に延びる一側における互いに離れた２つの位置から形成した２つの直線状の切れ込みが、広げたシートにおける第１の組の対向する２つのＶ字の切れ込みとなり、前記折られたシートの前記第２の方向に延びる他側における互いに離れた２つの位置から形成した２つの直線状の切れ込みが、広げたシートにおける第２の組の対向する２つのＶ字の切れ込みとなり、前記第２の組の対向する２つのＶ字の切れ込みは、前記第１の組の対向する２つのＶ字の切れ込みよりも小さい、［４］に記載の日除け用シートの製造方法。
[６]前記第１の組の対向する２つのＶ字の切れ込みに挟まれた部分が谷部を形成し、前記第１の組の対向する２つのＶ字の切れ込みの外側の部分が山部を形成し、前記第２の組の対向する２つのＶ字の切れ込みに挟まれた部分が山部を形成し、前記第２の組の対向する２つのＶ字の切れ込みの外側の部分が谷部を形成するようにさらに折る工程、又は
前記第１の組の対向する２つのＶ字の切れ込みに挟まれた部分が山部を形成し、前記第１の組の対向する２つのＶ字の切れ込みの外側の部分が谷部を形成し、前記第２の組の対向する２つのＶ字の切れ込みに挟まれた部分が谷部を形成し、前記第２の組の対向する２つのＶ字の切れ込みの外側の部分が山部を形成するようにさらに折る工程を含む、[５]に記載の日除け用シートの製造方法。
[７]第１の組の対向する２つのＶ字の切れ込み及び／又は第２の組の対向する２つのＶ字の切れ込みに植物を通した状態で、土を覆って[１]〜[３]のいずれかに記載の日除け用シートを配置することを含む、植物の栽培方法。
【発明の効果】
【０００７】
本発明の日除け用シートによれば、簡単な構成で、通気性を確保しつつ、日差しを効果的に遮ることができ、日除け用シートを配置した場所の温度を抑制することができる。本発明の日除け用シートの製造方法によれば、一枚のシートから、切れ込みを入れてシートを広げるだけで、日除け用シートを簡便に製造することができる。本発明の植物の栽培方法によれば、切れ込みに通した植物の部分への日照は妨げず、通気性をも確保し、土の上に日除け用シートを配置することで太陽光を効果的に遮り、土の温度上昇を抑制するため、植物の健全な生育が促される。
【図面の簡単な説明】
【０００８】
【図１】本発明の一実施形態の日除け用シートの略斜視図。
【図２】（ａ）〜（ｄ）図１の日除け用シートの製造方法の説明図。
【図３】図１の日除け用シートの平面図。
【図４】植物体の一部を切れ込みから出した状態で、土の上に直接日除け用シートを配置した状態を示す略図。
【図５】植物体を育成している複数の畝の間と畝の側面に日除け用シートを配置した状態を示す写真。
【図６】育苗ポットの上に日除け用シートを配置した状態を示す写真。
【図７】第１の組の対向する２つのＶ字の切れ込み及び第２の組の対向する２つのＶ字の切れ込みが日除け用シートの短手方向に複数配置された日除け用シートの別例の平面図。
【発明を実施するための形態】
【０００９】
以下、本発明の実施の形態を図面を参照しながら説明する。
【００１０】
図１に示すように、本発明の一実施の形態の日除け用シート１は、一枚の略矩形のシート１０に切れ込み１４，１５，３４，３５を設け、凹凸に折ることにより立体的に形成されている。日除け用シート１の本体であるシート１０の素材は特に限定されず、例えば織布、不織布、紙、金属、木材等であってよい。シート１０の素材は遮光性に優れた素材であることが好ましく、そのような素材は市販の素材を利用可能である。シート１０の素材は遮光性以外に、耐水性、耐久性、耐候性に優れることがより好ましい。
【００１１】
発明の理解を容易にするために、日除け用シート１の製造方法を説明する。
【００１２】
まず図２（ａ）に示すように、まず一枚のシート１０を、シート１０の長手方向に沿って山折、谷折の順に交互に端から端まで略均等な幅で折る。
【００１３】
次に、図２（ｂ）に示すように、折られたシート１０の長手方向と垂直な短手方向に延びる一側１１における互いに離れた２つの位置１２，１３を起点として、はさみ、カッター等の切断装置を用いて２つの直線状の切れ込み１４，１５を形成する。２つの直線状の切れ込み１４，１５は、２つの位置１２，１３から、それぞれ互いに離れるように傾斜して延びるように形成する。切れ込み１４，１５は、シート１０を厚さ方向に完全に切断するように設けられる。
【００１４】
さらに、折られたシート１０の短手方向に延びる他側３１における互いに離れた２つの位置３２，３３を起点として、はさみ、カッター等の切断装置を用いて２つの直線状の切れ込み３４，３５を形成する。第１の組の切れ込み３４，３５は第１の組の切れ込み１４，１５よりも小さい。２つの直線状の切れ込み３４，３５は、２つの直線状の切れ込み１４，１５と交差しないように、それぞれ互いに離れるように傾斜して延びるように形成する。切れ込み３４，３５は、シート１０を厚さ方向に完全に切断するように設けられる。
【００１５】
本実施形態では、シート１０の長さ方向における切れ込み１４，１５，３４，３５の数を増大させると共に、シート１０の立体化を容易にするため、第２の組の対向する２つのＶ字の切れ込み３４，３５の両端３４ａ, ３４ｂ, ３５ａ, ３５ｂは、隣接する第１の組の対向する２つのＶ字の切れ込み１４，１５に挟まれた部分２２に達して延びるようにする（図２（ｃ）も参照）。
【００１６】
図２（ｂ）の状態から折られたシート１０を広げると、図２（ｃ）に示すように、シート１０において、第１の組の対向する２つのＶ字の切れ込み１４，１５は、複数組が、シート１０の長手方向に沿って、互いに離間して直線状に配列される。「直線状に配列」は「仮想直線上に配列」と言い換えることもできる。また、第１の組の対向する２つのＶ字の切れ込み１４，１５をそれぞれ画成する２辺１６，１７及び２辺１８，１９の２つの角部２０，２１は、シート１０の長手方向に対して垂直なシート１０の短手方向に沿って整列している。本実施形態では特に、２つの角部２０，２１及びその頂点が、垂直なシート１０の短手方向に沿って直線状に整列している。第１の組の対向する２つのＶ字の切れ込み１４，１５は２つの角部２０，２１において最も接近し、角部２０，２１から２辺１６，１７及び２辺１８，１９へと切れ込み１４，１５が広がるにつれてシート１０の短手方向に離れる。
【００１７】
シート１０において、第２の組の切れ込み３４，３５は、複数組が、隣接する第１の組の対向する２つのＶ字の切れ込み１４，１５の間に交互に配置されるように、シート１０の長手方向に沿って、互いに離間して直線状に配列される。「直線状に配列」は「仮想直線上に配列」と言い換えることもできる。また、第２の組の対向する２つのＶ字の切れ込み３４，３５をそれぞれ画成する２辺３６，３７及び２辺３８，３９の２つの角部４０，４１は、シート１０の長手方向に対して垂直なシート１０の短手方向に沿って整列している。本実施形態では特に、２つの角部４０，４１及びその頂点が、垂直なシート１０の短手方向に沿って直線状に整列している。第１の組の対向する２つのＶ字の切れ込み３４，３５は２つの角部４０，４１において最も接近し、角部４０，４１から２辺３６，３７及び２辺３８，３９へと切れ込み３４，３５が広がるにつれてシート１０の短手方向に離れる。
【００１８】
図２（ｃ）の状態からさらに、第１の組の対向する２つのＶ字の切れ込み１４，１５に挟まれた部分２２が山部を形成し、第１の組の対向する２つのＶ字の切れ込み１４，１５の外側の部分２３，２４が谷部を形成し、第２の組の対向する２つのＶ字の切れ込み３４，３５に挟まれた部分４２が谷部を形成し、第２の組の対向する２つのＶ字の切れ込みの外側の部分４３，４４が山部を形成するように、シート１０を立体的に折る。図２（ｄ）に示すように、第１の組の対向する２つのＶ字の切れ込み１４，１５に挟まれた部分２２にシート１０の短手方向に沿って延びる稜線２２ａを設け、第２の組の対向する２つのＶ字の切れ込み３４，３５に挟まれた部分４２にシート１０の短手方向に沿って延びる谷線４２ａを設ける。その結果、図１に示すような立体の日除け用シートが完成する。
【００１９】
第１の組の対向する２つのＶ字の切れ込み１４，１５の外側の部分２３，２４に設けられる谷線２３ａ，２４ａは、図２（ｂ）におけるシート１０の一側１１に対応し、第２の組の対向する２つのＶ字の切れ込みの外側の部分４３，４４に設けられる稜線４３ａ，４４ａは、図２（ｂ）におけるシート１０の他側３１に対応している。シート１０を平坦にしたとき、稜線２２ａと谷線２３ａ，２４ａは略一直線上に並び、谷線４２ａと稜線４３ａ,４４ａは略一直線上に並ぶ。
【００２０】
このように、シート１０のプリーツ折り、一側からの切れ込み１４，１５の形成、他側からの切れ込み３４，３５の形成、シート１０の展開、並びに切れ込み１４，１５，３４，３５の周囲における山部と谷部の形成により、簡便に立体の日除け用シート１を製造することができる。
【００２１】
図３は、図１の日除け用シート１の平面図である。本発明の実施形態の日除け用シート１は、平面視した場合に、シート１０の切れ込み１４，１５，３４，３５が開いて切れ込み１４，１５，３４，３５を画成するシート１０の部分により形成される開口１４ａ，１５ａ，３４ａ，３５ａを除き、殆どがシート１０の面積により占められている。日除け用シート１を使用時の立体構造にした状態で平面視した日除け用シート１の外形の面積に対するシート１０が占める面積、言い換えると平面視した日除け用シート１の外形の面積に対する開口１４ａ，１５ａ，３４ａ，３５ａを除く面積は８０％以上、好ましくは９０％以上である。このため、日除け用シート１を被遮光物の上に設置することで、日除け用シートが被遮光物に対して落とす影により、太陽光を大幅に遮り、被遮光物の温度上昇を抑制するか、又は太陽光に曝露されていた被遮光物を冷却することができる。他方、日除け用シート１を使用時の立体構造にした状態で側面視した日除け用シート１では適度な開口１４ａ，１５ａ，３４ａ，３５ａがあいているため、開口１４ａ，１５ａ，３４ａ，３５ａが空気を効果的に流通させ、シート１０の表面の温度上昇を抑制し、また、シート１０の下部空間の熱溜まりを防止する。これにより、遮光性能および通風性能を同時に発揮し、シート１０でありながら、太陽光を遮光しつつ風も通すことで涼感を与える作用を発揮する。
【００２２】
本発明の実施形態の日除け用シート１は、屋内、屋外のいずれで用いることもできる。本発明の実施形態の日除け用シート１により被覆される被遮光物は、光を遮りたい物であれば特に限定されない。典型的には植物が挙げられ、植物としては、蔬菜（野菜とも言う）、果樹、花卉等が挙げられる。野菜、果樹、花卉等を本発明の実施形態の日除け用シート１を用いて飼育すると、土の表面や日除け用シート１の下にある植物体が日陰となって、通気性を確保しつつ涼しく保たれるため、強い日差しの下でも良好な生育を促すことができる。
【００２３】
図４は、植物の地上部の一部を本発明の実施形態の日除け用シート１のＶ字の切れ込みに通過させて太陽に露出するようにした状態で、土を覆って図１に示す日除け用シート１を配置した例を示す。このように、日除け用シート１の切れ込みにより通気性を確保しつつ、太陽に露出させる部分以外の植物の部分や土の表面を遮光し、地面の温度上昇を防ぐことができる。
【００２４】
図５は、写真の側方に延びる２つの畝を、植物体の地上部の全部又は一部が露出するように公知の遮光シートで覆い、２つの畝間と、２つの畝の各々の片側の側面とのそれぞれに本発明の実施形態の日除け用シート１を配置した状態を畝の上から撮影した写真である。このように、本発明の実施形態の日除け用シート１は、畝の真上だけでなく、２つの畝の間や、畝の側面にも配置することができる。
【００２５】
図６は、複数並べて配置した育苗ポットの上に日除け用シートを配置した例を示す。育苗ポットには植物の種子、幼苗、その他育苗ポットで生育可能な任意の植物が植えられている。このように、日除け用シート１のＶ字の切れ込みにより通気性を確保しつつ、太陽に露出させる部分以外の植物の部分や土の表面を遮光し、地面の温度上昇を防ぐことができる。育苗ポットを日除け用シート１で覆うことで乾燥を防ぐこともできるため、育苗ポットにて栽培されている植物の生育が促される。
【００２６】
使用後の日除け用シート１は、シート１０を平坦に戻して折りたたんで回収できるため、収納場所もとらずに便利である。
【００２７】
ここまで、本発明を特定の実施形態を説明してきたが、本発明はこれに限られず、以下のような種々の変形が可能である。
（１）図２（ｃ）の状態から、第１の組の対向する２つのＶ字の切れ込み１４，１５に挟まれた部分２２が谷部を形成し、第１の組の対向する２つのＶ字の切れ込み１４，１５の外側の部分２３，２４が山部を形成し、第２の組の対向する２つのＶ字の切れ込み３４，３５に挟まれた部分４２が山部を形成し、第２の組の対向する２つのＶ字の切れ込みの外側の部分４３，４４が谷部を形成するように、シート１０を立体的に折ってもよい。
（２）上記実施形態では、シート１０の長さ方向における切れ込み１４，１５，３４，３５の数を増大させると共に、シート１０の立体化を容易にするため、第２の組の対向する２つのＶ字の切れ込み３４，３５の両端は、隣接する第１の組の対向する２つのＶ字の切れ込み１４，１５に挟まれた部分２２に達して延びるようにしたが、第２の組の対向する２つのＶ字の切れ込み３４，３５の両端は、シート１０の長さ方向において、隣接する第１の組の対向する２つのＶ字の切れ込み１４，１５に挟まれた部分２２と重ならなくてもよい。
（３）日除け用シート１の使用者によるシート１０の立体化を容易にするために、シート１０にガイド線を設けてもよい。具体的には、図２（ｄ）に示した第１の組の対向する２つのＶ字の切れ込み１４，１５に挟まれた部分２２にシート１０の短手方向に沿って延びる線２２ａを第１の種類の線とし、第２の組の対向する２つのＶ字の切れ込み３４，３５に挟まれた部分４２にシート１０の短手方向に沿って延びる線４２ａを第２の種類の線とし、第１の組の対向する２つのＶ字の切れ込み１４，１５の外側の部分２３，２４にシート１０の短手方向に沿って延びる線２３ａ，２４ａを第２の種類の線とし、第２の組の対向する２つのＶ字の切れ込み３４，３５の外側の部分４３，４４にシート１０の短手方向に沿って延びる第１の種類の線４３ａ，４４ａを第１の種類の線とし、第１の種類の線と第２の種類の線を視覚的に区別できるように別の種類（例えば実線と点線、実線と鎖線など）の線のマーカーとしてシート１０に記しておく。第１の種類の線２２ａ，４３ａ，４４ａを稜線にして第２の種類の線２３ａ，２４ａ、４２ａを谷線にするか、又は 第１の種類の線２２ａ，４３ａ，４４ａを谷線にして第２の種類の線２３ａ，２４ａ、４２ａを稜線にすることにより、使用者はこれらのガイド線２２ａ，２３ａ，２４ａ，４２ａ，４３ａ，４４ａを手がかりに、容易に日除け用シート１を立体的に折って製造することができる。
（４）図７に示すように、第１の組の対向する２つのＶ字の切れ込み１４，１５及び第２の組の対向する２つのＶ字の切れ込み３４，３５が、日除け用シート１の短手方向に複数配置されていもよい。このようにすれば、一枚のシート１０でより大きな面積を遮光することができる。第１の組の対向する２つのＶ字の切れ込み１４，１５及び第２の組の対向する２つのＶ字の切れ込み３４，３５が複数の行と列に配置されているこのような日除け用シート１も、図１で示した実施形態の日除け用シート１の製造方法に従って製造することができる。
（５）日除け用シート１にさらに防水加工を施してもよい。このような構成によれば、雨や水やりに対する日除け用シート１の耐性が向上し、屋外での使用に有利となる。
（６）立体にする前の平板な日除け用シート１の形状は略長方形に限定されず、略正方形、略三角形、略六角形、略円形など、任意の形状とすることができる。
【符号の説明】
【００２８】
１…日除け用シート、１０…シート、１１…シートの一側、１２，１３…一側における互いに離れた２つの位置、１４，１５…第１の組の対向する２つのＶ字の切れ込み、３１…シートの他側、３２，３３…他側における互いに離れた２つの位置、３４，３５…第２の組の対向する２つのＶ字の切れ込み、１６，１７，１８，１９第１の組の対向する２つのＶ字の切れ込みを画成する２辺、２０，２１…第１の組の対向する２つのＶ字の切れ込みを画成する２辺の２つの角部、２２…第１の組の対向する２つのＶ字の切れ込みに挟まれた部分、２３，２４…第１の組の対向する２つのＶ字の切れ込みの外側の部分、３４ａ, ３４ｂ, ３５ａ, ３５ｂ…第２の組の対向する２つのＶ字の切れ込みの両端、３６，３７，３８，３９…第２の組の対向する２つのＶ字の切れ込みを画成する２辺、４０，４１…第２の組の対向する２つのＶ字の切れ込みを画成する２辺の２つの角部、４２…第２の組の対向する２つのＶ字の切れ込みに挟まれた部分、４３，４４…第２の組の対向する２つのＶ字の切れ込みの外側の部分。
【要約】
【課題】新規な日除け用シートを提供すること。
【解決手段】第１の組の対向する２つのＶ字の切れ込み１４，１５が、複数組互いに離間して第１の方向に沿って直線状に配列され、前記第１の組の対向する２つのＶ字の切れ込み１４，１５を画成するＶ字の２辺の２つの角部２０，２１が前記第１の方向に対して垂直な第２の方向に沿って整列し、
第１の組の対向する２つのＶ字よりも小さい、第２の組の対向する２つのＶ字の切れ込みが３４，３５、隣接する第１の組の対向する２つのＶ字の切れ込み１４，１５の間に交互に配置されるように、複数組互いに離間して前記第１の方向に沿って直線状に配列され、前記第２の組の対向する２つのＶ字の切れ込み３４，３５を画成する２辺の２つの角部３４，３５が、前記第２の方向に沿って整列している、日除け用シート。
【選択図】図１【図１】
0006847485.tif 000002
【図２】
0006847485.tif 000003
【図３】
0006847485.tif 000004
【図４】
0006847485.tif 000005
【図５】
0006847485.tif 000006
【図６】
0006847485.tif 000007
【図７】
0006847485.tif 000008